(57)【要約】【課題】上り方向ユーザデータの伝送レートの低下を抑制することを可能とする無線通信システム、無線制御装置、無線基地局及び無線通信方法を提供する。【解決手段】ＲＮＣ１２０は、ＵＥ１０が通信を行うＮＢ１１０として、新たなＮＢ１１０が追加された場合に、混雑信号の送信を抑制するための信号送信抑制タイマを起動する。ＲＮＣ１２０は、信号送信抑制タイマが満了するまで、ＮＢ１１０に対する混雑信号の送信を抑制する。【選択図】図５
2011223099.tif 000002
【特許請求の範囲】
【請求項１】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムであって、
前記無線制御装置は、
前記無線端末が通信を行う無線基地局として、第１無線基地局に対して第２無線基地局が追加された場合に、前記混雑信号の送信を抑制するための信号送信抑制タイマを起動し、
前記信号送信抑制タイマが満了するまで、前記第１無線基地局及び前記第２無線基地局に対する前記混雑信号の送信を抑制することを特徴とする無線通信システム。
【請求項２】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムであって、
前記無線基地局は、
前記無線端末が通信を行う無線基地局として、第１無線基地局に対して第２無線基地局が追加された場合に、前記伝送レート抑制信号の送信を抑制するための信号送信抑制タイマを起動し、
前記混雑信号を前記無線制御装置から受信しても、前記信号送信抑制タイマが満了するまで、前記無線端末に対する前記伝送レート抑制信号の送信を抑制することを特徴とする無線通信システム。
【請求項３】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムであって、
前記無線制御装置は、
前記無線端末が通信を行う無線基地局として、第１無線基地局に対して第２無線基地局が追加された場合に、前記シーケンス番号の順序誤りの検出に応じて前記混雑信号が送信されにくくなるように、前記混雑信号を送信する信号送信条件を緩和することを特徴とする無線通信システム。
【請求項４】
前記無線制御装置は、前記シーケンス番号の順序誤りを所定検出周期で検出し、
前記信号送信条件の緩和は、前記所定検出周期の短縮であることを特徴とする請求項３に記載の無線通信システム。
【請求項５】
前記無線制御装置は、前記シーケンス番号の順序誤りが所定回数に達した場合に、前記混雑信号を送信し、
前記信号送信条件の緩和は、前記所定回数の増大であることを特徴とする請求項３に記載の無線通信システム。
【請求項６】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線制御装置であって、
前記無線端末が通信を行う無線基地局として、第１無線基地局に対して第２無線基地局が追加された場合に、前記混雑信号の送信を抑制するための信号送信抑制タイマを起動するように構成されたタイマ管理部と、
前記信号送信抑制タイマが満了するまで、前記第１無線基地局及び前記第２無線基地局に対する前記混雑信号の送信を抑制するように構成された送信部とを備えることを特徴とする無線制御装置。
【請求項７】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線基地局であって、
前記無線端末が通信を行う無線基地局として、第１無線基地局に対して第２無線基地局が追加された場合に、前記伝送レート抑制信号の送信を抑制するための信号送信抑制タイマを起動するように構成されたタイマ管理部と、
前記混雑信号を前記無線制御装置から受信しても、前記信号送信抑制タイマが満了するまで、前記無線端末に対する前記伝送レート抑制信号の送信を抑制するように構成された送信部とを備えることを特徴とする無線基地局。
【請求項８】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線制御装置であって、
前記無線端末が通信を行う無線基地局として、第１無線基地局に対して第２無線基地局が追加された場合に、前記シーケンス番号の順序誤りの検出に応じて前記混雑信号を送信する信号送信条件を緩和するように構成された条件管理部を備えることを特徴とする無線制御装置。
【請求項９】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線通信方法であって、
前記無線制御装置が、前記無線端末が通信を行う無線基地局として、第１無線基地局に対して第２無線基地局が追加された場合に、前記混雑信号の送信を抑制するための信号送信抑制タイマを起動するステップと、
前記無線制御装置が、前記信号送信抑制タイマが満了するまで、前記第１無線基地局及び前記第２無線基地局に対する前記混雑信号の送信を抑制するステップとを備えることを特徴とする無線通信方法。
【請求項１０】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線通信方法であって、
前記無線基地局が、前記無線端末が通信を行う無線基地局として、第１無線基地局に対して第２無線基地局が追加された場合に、前記伝送レート抑制信号の送信を抑制するための信号送信抑制タイマを起動するステップと、
前記無線基地局が、前記混雑信号を前記無線制御装置から受信しても、前記信号送信抑制タイマが満了するまで、前記無線端末に対する前記伝送レート抑制信号の送信を抑制するステップとを備えることを特徴とする無線通信方法。
【請求項１１】
無線基地局及び無線制御装置を有しており、無線端末から受信する上り方向ユーザデータに対して前記無線基地局にて固有のシーケンス番号が付与され、前記シーケンス番号の順序誤りの検出に応じて、前記無線基地局と前記無線制御装置との間のリンクが混雑していることを示す混雑信号が前記無線制御装置から前記無線基地局に対して送信され、前記混雑信号に応じて、前記上り方向ユーザデータの伝送レートの抑制を指示する伝送レート抑制信号が前記無線基地局から前記無線端末に対して送信される無線通信システムで用いられる無線通信方法であって、
前記無線制御装置が、前記無線端末が通信を行う無線基地局として、第１無線基地局に対して第２無線基地局が追加された場合に、前記シーケンス番号の順序誤りの検出に応じて前記混雑信号を送信する信号送信条件を緩和するステップを備えることを特徴とする無線通信方法。
【発明の詳細な説明】
【技術分野】
【０００１】
本発明は、無線基地局及び無線制御装置を備える無線通信システム、無線通信システムで用いられる無線制御装置、無線基地局及び無線通信方法に関する。
【背景技術】
【０００２】
従来、無線基地局（Ｒａｄｉｏ  Ｂａｓｅ  Ｓｔａｔｉｏｎ）及び無線制御装置（Ｒａｄｉｏ  Ｎｅｔｗｏｒｋ  Ｃｏｎｔｒｏｌｌｅｒ）を含む無線通信システムが知られている。無線基地局は、単数又は複数のセルを有しており、各セルは、無線端末と無線通信を行う。無線制御装置は、複数の無線基地局を管理しており、無線端末に対する無線リソースの割り当てを行っている。なお、このような技術は、Ｒ９９（Ｒｅｌｅａｓｅ  ９９）などと称されることもある。
【０００３】
近年、スループットの向上や遅延時間の短縮などを目的として、無線リソースの割り当てなどを無線基地局が行う技術が提案されている。なお、このような技術は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＥＵＬ（Ｅｎｈａｎｃｅｄ  Ｕｐｌｉｎｋ）などと称されることもある（例えば、非特許文献１、２）。
【０００４】
ここで、上り方向通信では、無線基地局は、無線端末から受信する上り方向ユーザデータに対して、無線基地局に固有のシーケンス番号（ＦＳＮ；Ｆｒａｍｅ  Ｓｅｑｕｅｎｃｅ  Ｎｕｍｂｅｒ）を付与する。無線制御装置は、上り方向ユーザデータに付与されたシーケンス番号の連続性を確認することによって、無線基地局と無線制御装置との間の物理レイヤ（ＴＮＬ；Ｔｒａｎｓｐｏｒｔ  Ｎｅｔｗｏｒｋ  Ｌａｙｅｒ）のリンクの混雑状況を判断する。
【０００５】
また、無線端末の移動に伴って、無線端末が第１無線基地局から第２無線基地局にハンドオーバする技術が知られている。例えば、ハンドオーバ状態において、無線制御装置は、無線制御装置と第１無線基地局との間のリンクを解放してから、無線制御装置と第２無線基地局との間のリンクを設定することによって、第１無線基地局及び第２無線基地局のいずれか一方を経由して、上り方向ユーザデータを無線端末から受信する手法（以下、第１手法）が考えられる。或いは、ハンドオーバ状態において、無線制御装置は、無線制御装置と第１無線基地局との間のリンクを維持しながら、無線制御装置と第２無線基地局との間のリンクを設定することによって、第１無線基地局及び第２無線基地局の双方を経由して、上り方向ユーザデータを無線端末から受信する手法（以下、第２手法）が考えられる。
【先行技術文献】
【非特許文献】
【０００６】
【非特許文献１】３ＧＰＰ  ＴＳ２５．３０８  Ｖ９．１．０
【非特許文献２】３ＧＰＰ  ＴＳ２５．３０９  Ｖ６．６．０
【発明の概要】
【発明が解決しようとする課題】
【０００７】
第１手法では、第１無線基地局に固有のシーケンス番号及び第２無線基地局に固有のシーケンス番号が混在することがない。しかしながら、無線制御装置と第１無線基地局との間のリンクを解放してから、無線制御装置と第２無線基地局との間のリンクが設定されるため、瞬断が生じる。すなわち、第１手法では、上り方向ユーザデータの伝送レートが低下してしまう。
【０００８】
一方で、第２手法では、無線制御装置と第１無線基地局との間のリンクを維持しながら、無線制御装置と第２無線基地局との間のリンクが設定されるため、瞬断が生じない。従って、第２手法では、第１手法と比べて、上り方向ユーザデータの伝送レートの低下を抑制することができる。しかしながら、第１無線基地局にて付与された固有のシーケンス番号及び第２無線基地局にて付与された固有のシーケンス番号の関連性がなく、不連続のシーケンス番号が付与されたデータを受信するため、無線制御装置は、無線基地局と無線制御装置とのリンク（ＴＮＬリンク）が混雑していると誤判断する可能性がある。このような誤判断に伴って、無線制御装置から無線基地局に混雑信号（例えば、ＴＮＬＣｏｎｇｅｓｔｉｏｎＩｎｄｉｃａｔｉｏｎ）が送信され、無線基地局から無線端末に伝送レート抑制信号が送信される。すなわち、第２手法でも、上り方向ユーザデータの伝送レートが低下してしまう。
【０００９】
そこで、本発明は、上述した課題を解決するためになされたものであり、上り方向ユーザデータの伝送レートの低下を抑制することを可能とする無線通信システム、無線制御装置、無線基地局及び無線通信方法を提供することを目的とする。
【課題を解決するための手段】
【００１０】
第１の特徴に係る無線通信システムは、無線基地局及び無線制御装置を有する。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。前記無線制御装置は、前記無線端末が通信を行う無線基地局として、第１無線基地局に対して第２無線基地局が追加された場合に、前記混雑信号の送信を抑制するための信号送信抑制タイマを起動する。前記無線制御装置は、前記信号送信抑制タイマが満了するまで、前記第１無線基地局及び前記第２無線基地局に対する前記混雑信号の送信を抑制する。
【００１１】
第２の特徴に係る無線通信システムは、無線基地局及び無線制御装置を有する。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。前記無線基地局は、前記無線端末が通信を行う無線基地局として、第１無線基地局に対して第２無線基地局が追加された場合に、前記伝送レート抑制信号の送信を抑制するための信号送信抑制タイマを起動する。前記無線基地局は、前記混雑信号を前記無線制御装置から受信しても、前記信号送信抑制タイマが満了するまで、前記無線端末に対する前記伝送レート抑制信号の送信を抑制する。
【００１２】
第３の特徴に係る無線通信システムは、無線基地局及び無線制御装置を有する。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。前記無線制御装置は、前記無線端末が通信を行う無線基地局として、第１無線基地局に対して第２無線基地局が追加された場合に、前記シーケンス番号の順序誤りの検出に応じて前記混雑信号が送信されにくくなるように、前記混雑信号を送信する信号送信条件を緩和する。
【００１３】
第３の特徴において、前記無線制御装置は、前記シーケンス番号の順序誤りを所定検出周期で検出する。前記信号送信条件の緩和は、前記所定検出周期の短縮である。
【００１４】
第３の特徴において、前記無線制御装置は、前記シーケンス番号の順序誤りが所定回数に達した場合に、前記混雑信号を送信する。前記信号送信条件の緩和は、前記所定回数の増大である。
【００１５】
第４の特徴に係る無線制御装置は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線制御装置は、前記無線端末が通信を行う無線基地局として、第１無線基地局に対して第２無線基地局が追加された場合に、前記混雑信号の送信を抑制するための信号送信抑制タイマを起動するように構成されたタイマ管理部と、前記信号送信抑制タイマが満了するまで、前記第１無線基地局及び前記第２無線基地局に対する前記混雑信号の送信を抑制するように構成された送信部とを備える。
【００１６】
第５の特徴に係る無線基地局は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線基地局は、前記無線端末が通信を行う無線基地局として、第１無線基地局に対して第２無線基地局が追加された場合に、前記伝送レート抑制信号の送信を抑制するための信号送信抑制タイマを起動するように構成されたタイマ管理部と、前記混雑信号を前記無線制御装置から受信しても、前記信号送信抑制タイマが満了するまで、前記無線端末に対する前記伝送レート抑制信号の送信を抑制するように構成された送信部とを備える。
【００１７】
第６の特徴に係る無線制御装置は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線制御装置は、前記無線端末が通信を行う無線基地局として、第１無線基地局に対して第２無線基地局が追加された場合に、前記シーケンス番号の順序誤りの検出に応じて前記混雑信号を送信する信号送信条件を緩和するように構成された条件管理部を備える。
【００１８】
第７の特徴に係る無線通信方法は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線通信方法は、前記無線制御装置が、前記無線端末が通信を行う無線基地局として、第１無線基地局に対して第２無線基地局が追加された場合に、前記混雑信号の送信を抑制するための信号送信抑制タイマを起動するステップと、前記無線制御装置が、前記信号送信抑制タイマが満了するまで、前記第１無線基地局及び前記第２無線基地局に対する前記混雑信号の送信を抑制するステップとを備える。
【００１９】
第８の特徴に係る無線通信方法は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線通信方法は、前記無線基地局が、前記無線端末が通信を行う無線基地局として、第１無線基地局に対して第２無線基地局が追加された場合に、前記伝送レート抑制信号の送信を抑制するための信号送信抑制タイマを起動するステップと、前記無線基地局が、前記混雑信号を前記無線制御装置から受信しても、前記信号送信抑制タイマが満了するまで、前記無線端末に対する前記伝送レート抑制信号の送信を抑制するステップとを備える。
【００２０】
第９の特徴に係る無線通信方法は、無線基地局及び無線制御装置を有する無線通信システムで用いられる。無線通信システムでは、無線端末から受信する上り方向ユーザデータに対して前記無線基地局にて固有のシーケンス番号が付与される。前記シーケンス番号の順序誤りの検出に応じて、前記無線基地局と前記無線制御装置との間のリンクが混雑していることを示す混雑信号が前記無線制御装置から前記無線基地局に対して送信される。前記混雑信号に応じて、前記上り方向ユーザデータの伝送レートの抑制を指示する伝送レート抑制信号が前記無線基地局から前記無線端末に対して送信される。無線通信方法は、前記無線制御装置が、前記無線端末が通信を行う無線基地局として、第１無線基地局に対して第２無線基地局が追加された場合に、前記シーケンス番号の順序誤りの検出に応じて前記混雑信号を送信する信号送信条件を緩和するステップを備える。
【発明の効果】
【００２１】
本発明によれば、上り方向ユーザデータの伝送レートの低下を抑制することを可能とする無線通信システム、無線制御装置、無線基地局及び無線通信方法を提供することができる。
【図面の簡単な説明】
【００２２】
【図１】第１実施形態に係る無線通信システム１００を示す図である。
【図２】第１実施形態に係るプロトコルスタックを示す図である。
【図３】第１実施形態に係るＮＢ１１０を示すブロック図である。
【図４】第１実施形態に係るＲＮＣ１２０を示すブロック図である。
【図５】第１実施形態に係る混雑信号の送信抑制例を示す図である。
【図６】変更例１に係るＮＢ１１０を示すブロック図である。
【図７】変更例１に係る伝送レート抑制信号の送信抑制例を示す図である。
【図８】変更例２に係るＲＮＣ１２０を示すブロック図である。
【図９】変更例２に係る信号送信条件の緩和例を示す図である。
【発明を実施するための形態】
【００２３】
以下において、本発明の実施形態に係る無線通信システムについて、図面を参照しながら説明する。なお、以下の図面の記載において、同一又は類似の部分には、同一又は類似の符号を付している。
【００２４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２５】
［実施形態の概要］
実施形態に係る無線通信システムは、無線基地局及び無線制御装置を有する。無線通信システムでは、無線端末から受信する上り方向ユーザデータに対して前記無線基地局にて固有のシーケンス番号が付与される。シーケンス番号の順序誤りの検出に応じて、無線基地局と無線制御装置との間のリンクが混雑していることを示す混雑信号が無線制御装置から無線基地局に対して送信される。混雑信号に応じて、上り方向ユーザデータの伝送レートの抑制を指示する伝送レート抑制信号が無線基地局から無線端末に対して送信される。
【００２６】
第１に、無線制御装置は、無線端末が通信を行う無線基地局として、第１無線基地局に対して第２無線基地局が追加された場合に、混雑信号の送信を抑制するための信号送信抑制タイマを起動する。無線制御装置は、信号送信抑制タイマが満了するまで、第１無線基地局及び第２無線基地局に対する混雑信号の送信を抑制する。
【００２７】
このような無線制御装置によれば、無線端末が通信を行う無線基地局として、第１無線基地局に対して第２無線基地局が追加された場合に、信号送信抑制タイマが満了するまで、混雑信号の送信が抑制される。すなわち、信号送信抑制タイマが満了するまで、第１無線基地局に対する第２無線基地局の追加に伴って生じるシーケンス番号の順序誤りが無視される。これによって、上り方向ユーザデータの伝送レートの低下が抑制される。
【００２８】
第２に、無線基地局は、無線端末が通信を行う無線基地局として、第１無線基地局に対して第２無線基地局が追加された場合に、伝送レート抑制信号の送信を抑制するための信号送信抑制タイマを起動する。無線基地局は、混雑信号を無線制御装置から受信しても、信号送信抑制タイマが満了するまで、無線端末に対する伝送レート抑制信号の送信を抑制する。
【００２９】
このような無線基地局によれば、無線端末が通信を行う無線基地局として、第１無線基地局に対して第２無線基地局が追加された場合に、混雑信号を無線制御装置から受信しても、信号送信抑制タイマが満了するまで、無線端末に対する伝送レート抑制信号の送信が抑制される。すなわち、信号送信抑制タイマが満了するまで、第１無線基地局に対する第２無線基地局の追加に伴って受信する混雑信号が無視される。これによって、上り方向ユーザデータの伝送レートの低下が抑制される。
【００３０】
なお、無線基地局は、第１無線基地局のみであってもよく、第２無線基地局のみであってもよく、第１無線基地局及び第２無線基地局の双方であってもよい。
【００３１】
第３に、無線制御装置は、無線端末が通信を行う無線基地局として、第１無線基地局に対して第２無線基地局が追加された場合に、シーケンス番号の順序誤りの検出に応じて混雑信号が送信されにくくなるように、混雑信号を送信する信号送信条件を緩和する。
【００３２】
このような無線制御装置によれば、無線端末が通信を行う無線基地局として、第１無線基地局に対して第２無線基地局が追加された場合に、第１無線基地局に対する第２無線基地局の追加に伴って生じるシーケンス番号の順序誤りが検出されにくい。これによって、混雑信号の送信が抑制され、上り方向ユーザデータの伝送レートの低下が抑制される。
【００３３】
［第１実施形態］
（無線通信システムの構成）
以下において、第１実施形態に係る無線通信システムについて、図面を参照しながら説明する。図１は、第１実施形態に係る無線通信システム１００を示す図である。
【００３４】
図１に示すように、無線通信システム１００は、無線端末１０（以下、ＵＥ１０）と、無線基地局１１０（以下、ＮＢ１１０）と、無線制御装置１２０（以下、ＲＮＣ１２０）と、ＳＧＳＮ１３０とを有する。また、無線通信システム１００は、コアネットワーク５０を有する。
【００３５】
ＵＥ１０は、無線通信システム１００と通信を行うように構成された装置（Ｕｓｅｒ  Ｅｑｕｉｐｍｅｎｔ）である。例えば、ＵＥ１０は、ＮＢ１１０及びＲＮＣ１２０と無線通信を行う機能を有する。
【００３６】
ＮＢ１１０は、セル２１１を有しており、セル２１１に存在するＵＥ１０と無線通信を行う装置（ＮｏｄｅＢ）である。第１実施形態では、ＮＢ１１０として、セル２１１Ａを有する無線基地局１１０Ａ（以下、ＮＢ１１０Ａ）及びセル２１１Ｂを有する無線基地局１１０Ｂ（以下、ＮＢ１１０Ｂ）が設けられる。
【００３７】
ＲＮＣ１２０は、ＮＢ１１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３８】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３９】
なお、第１実施形態では、セルは、ＵＥ１０と無線通信を行う機能として理解すべきである。但し、セルは、セルのサービスエリアを示す用語としても用いられる。また、セルは、セルで用いられる周波数、拡散コード又はタイムスロットなどによって識別される。
【００４０】
また、第１実施形態では、ＮＢ１１０が上り方向の無線リソースの割り当てなどを行う枠組みが適用される。ＮＢ１１０が上り方向の無線リソースの割り当てなどを行う枠組みは、ＨＳＵＰＡ（Ｈｉｇｈ  Ｓｐｅｅｄ  Ｕｐｌｉｎｋ  Ｐａｃｋｅｔ  Ａｃｃｅｓｓ）、ＥＵＬ（Ｅｎｈａｎｃｅｄ  Ｕｐｌｉｎｋ）などと称されることもある。
【００４１】
（プロトコルスタックの構成）
以下において、第１実施形態に係るプロトコルスタックについて、図面を参照しながら説明する。図２は、第１実施形態に係るプロトコルスタックを示す図である。
【００４２】
図２に示すように、ＵＥ１０は、ＰＨＹ、ＭＡＣ−ｅ／ｅｓ、ＭＡＣ−ｄ、ＲＬＣ、Ｃ−ＰＬＡＮＥ及びＵ−ＰＬＡＮＥを有する。ＮＢ１１０は、ＰＨＹ、ＭＡＣ−ｅ、ＴＮＬ及びＥ−ＤＣＨ  ＦＰを有する。ＲＮＣ１２０は、ＴＮＬ、Ｅ−ＤＣＨ  ＦＰ、ＭＡＣ−ｅｓ、ＭＡＣ−ｄ、ＲＬＣ、Ｃ−ＰＬＡＮＥ及びＵ−ＰＬＡＮＥを有する。
【００４３】
ＰＨＹは、ＵＥ１０及びＮＢ１１０に設けられており、ＵＥ１０とＮＢ１１０との間の物理チャネルを処理する層である。物理チャネルは、例えば、ＤＰＤＣＨ（Ｄｅｄｉｃａｔｅｄ  Ｐｈｙｓｉｃａｌ  Ｄａｔａ  Ｃｈａｎｎｅｌ）、ＤＰＣＣＨ（Ｄｅｄｉｃａｔｅｄ  Ｐｈｙｓｉｃａｌ  Ｃｏｎｔｒｏｌ  Ｃｈａｎｎｅｌ）、Ｅ−ＤＰＤＣＨ（Ｅｎｈａｎｃｅｄ  ＤＰＤＣＨ）、Ｅ−ＤＰＣＣＨ（Ｅｎｈａｎｃｅｄ  ＤＰＣＣＨ）、Ｅ−ＡＧＣＨ（Ｅｎｈａｎｃｅｄ  Ａｂｓｏｌｕｔｅ  Ｇｒａｎｔ  Ｃｈａｎｎｅｌ）、Ｅ−ＲＧＣＨ（Ｅｎｈａｎｃｅｄ  Ａｂｓｏｌｕｔｅ  Ｇｒａｎｔ  Ｃｈａｎｎｅｌ）などである。
【００４４】
なお、Ｅ−ＡＧＣＨ及びＥ−ＲＧＣＨは、Ｅ−ＤＰＤＣＨを介してＵＥ１０からＮＢ１１０に送信される上り方向ユーザデータの伝送レートを制御するための伝送レート制御信号を搬送するチャネルである。
【００４５】
例えば、Ｅ−ＡＧＣＨによって搬送される伝送レート制御信号は、ＡＧ（Ａｂｓｏｌｕｔｅ  Ｇｒａｎｔ）と称される。ＡＧは、ＵＥ１０に割り当てられている送信電力比（Ｅ−ＤＰＤＣＨ／ＤＰＣＣＨ）を直接的に指定する信号（Ｉｎｄｅｘ）である（３ＧＰＰ  ＴＳ２５．２１２  Ｖｅｒ．７．５．０  ４．１０．１Ａ．１  “Ｉｎｆｏｒｍａｔｉｏｎ  ｆｉｅｌｄ  ｍａｐｐｉｎｇ  ｏｆ  ｔｈｅ  Ａｂｓｏｌｕｔｅ  Ｇｒａｎｔ  Ｖａｌｕｅ”を参照）。
【００４６】
Ｅ−ＲＧＣＨによって搬送される伝送レート制御信号は、ＲＧ（Ｒｅｌａｔｉｖｅ  Ｇｒａｎｔ）と称される。ＲＧは、ＵＥ１０に割り当てられている送信電力比（Ｅ−ＤＰＤＣＨ／ＤＰＣＣＨ）を相対的に指定する信号（“Ｕｐ”、“Ｄｏｗｎ”、“Ｈｏｌｄ”）である（３ＧＰＰ  ＴＳ２５．３２１  Ｖｅｒ．７．５．０  ９．２．５．２．１  “Ｒｅｌａｔｉｖｅ  Ｇｒａｎｔｓ”を参照）。
【００４７】
このような伝送レート制御信号は、Ｅ−ＤＰＤＣＨを介してＵＥ１０からＮＢ１１０に送信される上り方向ユーザデータの伝送レート抑制を指示する伝送レート抑制信号として用いることが可能である。
【００４８】
ＭＡＣ−ｅ／ｅｓは、ＭＡＣ−ｅ及びＭＡＣ−ｅｓを含む。ＭＡＣ−ｅは、ＵＥ１０及びＮＢ１１０に設けられており、ＵＥ１０とＮＢ１１０との間で、ＨＡＲＱ（Ｈｙｂｒｉｄ  Ａｕｔｏｍａｔｉｃ  Ｒｅｐｅａｔ  Ｒｅｑｕｅｓｔ）制御や伝送速度の割り当て制御を処理する層である。ＭＡＣ−ｅは、ＭＡＣ−ｄと対応するＰＤＵ（以下、ＭＡＣ−ｄ  ＰＤＵ）をＭＡＣ−ｅと対応するＰＤＵ（以下、ＭＡＣ−ｅ  ＰＤＵ）に再構成する。或いは、ＭＡＣ−ｅは、ＭＡＣ−ｅ  ＰＤＵをＭＡＣ−ｄ  ＰＤＵに再構成する。
【００４９】
ＭＡＣ−ｅｓは、ＵＥ１０及びＲＮＣ１２０に設けられており、ＭＡＣ−ｅとＭＡＣ−ｄとのインタフェースとして機能する層である。例えば、ＭＡＣ−ｅｓは、ＵＥ１０によって付与されるシーケンス番号（ＴＳＮ；Ｔｒａｎｓｍｉｓｓｉｏｎ  Ｓｅｑｕｅｎｃｅ  Ｎｕｍｂｅｒ）に基づいて、ＭＡＣ−ｅｓと対応するＰＤＵ（以下、ＭＡＣ−ｅｓ  ＰＤＵ）の並び替え、ＭＡＣ−ｅ  ＰＤＵの重複排除などの処理を行う。なお、シーケンス番号（ＴＳＮ）は、ＭＡＣ−ｅｓ  ＰＤＵに付与される。
【００５０】
ＭＡＣ−ｄは、ＵＥ１０及びＲＮＣ１２０に設けられており、ＭＡＣ−ｅｓとＲＬＣとのインタフェースとして機能する層である。ＭＡＣ−ｄは、Ｃ−ＰＬＡＮＥからのＤＣＣＨ（Ｄｅｄｉｃａｔｅｄ  Ｃｏｎｔｒｏｌ  Ｃｈａｎｎｅｌ）及びＵ−ＰＬＡＮＥからのＤＴＣＨ（Ｄｅｄｉｃａｔｅｄ  Ｔｒａｆｆｉｃ  Ｃｈａｎｎｅｌ）を構成するデータをＭＡＣ−ｄ  ＰＤＵに再構成する。或いは、ＭＡＣ−ｄは、ＭＡＣ−ｄ  ＰＤＵをＤＣＣＨ及びＤＴＣＨを構成するデータに再構成する。
【００５１】
ＲＬＣは、ＵＥ１０及びＲＮＣ１２０に設けられており、ＭＡＣ−ｄとＣ−ＰＬＡＮＥとのインタフェース及びＭＡＣ−ｄとＵ−ＰＬＡＮＥとのインタフェースとして機能する層である。例えば、ＲＬＣは、ＵＥ１０とＲＮＣ１２０との間の再送制御（以下、ＲＬＣ再送制御）を処理する。
【００５２】
Ｃ−ＰＬＡＮＥは、制御データを処理する層である。Ｕ−ＰＬＡＮＥは、ユーザデータを処理する層である。
【００５３】
ＴＮＬは、ＮＢ１１０及びＲＮＣ１２０に設けられており、ＮＢ１１０とＲＮＣ１２０との間の物理データを処理する層（Ｔｒａｎｓｐｏｒｔ  Ｎｅｔｗｏｒｋ  Ｌａｙｅｒ）である。
【００５４】
Ｅ−ＤＣＨ  ＦＰは、ＮＢ１１０及びＲＮＣ１２０に設けられており、ＮＢ１１０とＲＮＣ１２０との間のフロー制御を処理する層である。
【００５５】
例えば、ＮＢ１１０のＥ−ＤＣＨ  ＦＰは、ＮＢ１１０とＲＮＣ１２０との間のＰＤＵに対して、ＮＢ１１０に固有のシーケンス番号（ＦＮＳ；Ｆｒａｍｅ  Ｓｅｑｕｅｎｃｅ  Ｎｕｍｂｅｒ）を付与する。
【００５６】
また、ＲＮＣ１２０のＥ−ＤＣＨ  ＦＰは、ＮＢ１１０とＲＮＣ１２０との間の物理層（ＴＮＬ）が混雑している場合に、ＮＢ１１０とＲＮＣ１２０との間のリンクが混雑していることを示す混雑信号（ＴＮＬ  Ｃｏｎｇｅｓｔｉｏｎ  Ｉｎｄｉｃａｔｉｏｎ）をＮＢ１１０のＥ−ＤＣＨ  ＦＰに送信する。なお、ＲＮＣ１２０のＥ−ＤＣＨ  ＦＰは、シーケンス番号（ＦＮＳ）の順序誤りに基づいて、ＮＢ１１０とＲＮＣ１２０との間の物理層（ＴＮＬ）の混雑を検出する（ＴＮＬ  Ｃｏｎｇｅｓｔｉｏｎ  Ｄｅｔｅｃｔｉｏｎ）。
【００５７】
（無線基地局の構成）
以下において、第１実施形態に係る無線基地局について、図面を参照しながら説明する。図３は、第１実施形態に係るＮＢ１１０を示すブロック図である。ここでは、ＮＢ１１０の構成について主として説明するため、図３に示す各構成は、図２に示すプロトコルスタックと異なることに留意すべきである。なお、図３に示す各構成は、互いに連携して、図２に示すプロトコルスタックの機能を実現する。
【００５８】
図３に示すように、ＮＢ１１０は、上位局ＩＦ１１１と、無線ＩＦ１１２と、シーケンス番号付与部１１３と、制御部１１４とを有する。
【００５９】
上位局ＩＦ１１１は、ＮＢ１１０の上位局（例えば、ＲＮＣ１２０）と通信を行うインタフェースである。上位局ＩＦ１１１は、例えば、ＴＮＬを介して、Ｅ−ＤＣＨ  ＦＰと対応するＰＤＵをＲＮＣ１２０に送信する。或いは、上位局ＩＦ１１１は、例えば、ＴＮＬを介して、ＴＮＬが混雑していることを示す混雑信号（ＴＮＬ  Ｃｏｎｇｅｓｔｉｏｎ  Ｉｎｄｉｃａｔｏｒ）をＲＮＣ１２０から受信する。
【００６０】
無線ＩＦ１１２は、ＵＥ１０と通信を行うインタフェースである。無線ＩＦ１１２は、例えば、ＰＨＹ（Ｅ−ＤＰＤＣＨ）を介して、ＭＡＣ−ｅと対応するＰＤＵをＵＥ１０から受信する。或いは、無線ＩＦ１１２は、例えば、ＰＨＹ（Ｅ−ＡＧＣＨやＥ−ＲＧＣＨ）を介して、伝送レート制御信号をＵＥ１０に送信する。なお、伝送レート制御信号は、上述したように、伝送レート抑制信号として用いることが可能である。
【００６１】
シーケンス番号付与部１１３は、ＮＢ１１０に固有のシーケンス番号（ＦＮＳ）をＥ−ＤＣＨ  ＦＰと対応するＰＤＵに付与する。なお、シーケンス番号（ＦＮＳ）は、ＮＢ１１０に固有であるため、シーケンス番号の連続性がＮＢ１１０間で担保されないことに留意すべきである。
【００６２】
制御部１１４は、ＮＢ１１０を制御する。例えば、制御部１１４は、ＴＮＬが混雑していることを示す混雑信号（ＴＮＬ  Ｃｏｎｇｅｓｔｉｏｎ  Ｉｎｄｉｃａｔｏｒ）を受信した場合に、Ｅ−ＡＧＣＨ又はＥ−ＲＧＣＨを介して、上り方向ユーザデータの伝送レートの抑制を指示する伝送レート抑制信号の送信を無線ＩＦ１１２に指示する。
【００６３】
（無線制御装置の構成）
以下において、第１実施形態に係る無線制御装置について、図面を参照しながら説明する。図４は、第１実施形態に係るＲＮＣ１２０を示すブロック図である。ここでは、ＲＮＣ１２０の構成について主として説明するため、図４に示す各構成は、図２に示すプロトコルスタックと異なることに留意すべきである。なお、図４に示す各構成は、互いに連携して、図２に示すプロトコルスタックの機能を実現する。
【００６４】
図４に示すように、ＲＮＣ１２０は、上位局ＩＦ１２１と、基地局ＩＦ１２２と、タイマ管理部１２３と、制御部１２４とを有する。
【００６５】
上位局ＩＦ１２１は、ＲＮＣ１２０の上位局（例えば、ＳＧＳＮ１３０）と通信を行うインタフェースである。
【００６６】
基地局ＩＦ１２２は、ＮＢ１１０と通信を行うインタフェースである。基地局ＩＦ１２２は、例えば、ＴＮＬを介して、Ｅ−ＤＣＨ  ＦＰと対応するＰＤＵをＮＢ１１０から受信する。或いは、基地局ＩＦ１２２は、例えば、ＴＮＬを介して、ＴＮＬが混雑していることを示す混雑信号（ＴＮＬ  Ｃｏｎｇｅｓｔｉｏｎ  Ｉｎｄｉｃａｔｏｒ）をＮＢ１１０に送信する。
【００６７】
タイマ管理部１２３は、各種タイマを管理する。例えば、タイマ管理部１２３は、シーケンス番号（ＦＳＮ）の順序誤りを検出するためのシーケンス番号監視タイマを管理する。また、タイマ管理部１２３は、混雑信号の送信を抑制するための信号送信抑制タイマを管理する。
【００６８】
制御部１２４は、ＲＮＣ１２０を制御する。例えば、制御部１２４は、シーケンス番号監視タイマの起動からシーケンス番号監視タイマの満了までの間に、シーケンス番号（ＦＳＮ）の順序誤りが検出された場合に、ＴＮＬが混雑していることを示す混雑信号（ＴＮＬ  Ｃｏｎｇｅｓｔｉｏｎ  Ｉｎｄｉｃａｔｏｒ）の送信を基地局ＩＦ１２２に指示する。或いは、制御部１２４は、シーケンス番号（ＦＳＮ）の順序誤りが所定回数に達した場合に、ＴＮＬが混雑していることを示す混雑信号（ＴＮＬ  Ｃｏｎｇｅｓｔｉｏｎ  Ｉｎｄｉｃａｔｏｒ）の送信を基地局ＩＦ１２２に指示する。或いは、制御部１２４は、シーケンス番号監視タイマの起動からシーケンス番号監視タイマの満了までの間に、シーケンス番号（ＦＳＮ）の順序誤りが所定回数に達した場合に、ＴＮＬが混雑していることを示す混雑信号（ＴＮＬ  Ｃｏｎｇｅｓｔｉｏｎ  Ｉｎｄｉｃａｔｏｒ）の送信を基地局ＩＦ１２２に指示する。
【００６９】
ここで、制御部１２４は、ＵＥ１０が通信を行うＮＢ１１０として、新たなＮＢ１１０が追加された場合に、信号送信抑制タイマを起動する。制御部１２４は、信号送信抑制タイマの起動から信号送信抑制タイマの満了まで、混雑信号の送信を抑制する。すなわち、制御部１２４は、混雑信号を送信する信号送信条件が満たされた場合であっても、信号送信抑制タイマが満了するまで、混雑信号の送信を抑制する。
【００７０】
（混雑信号の送信抑制例）
以下において、第１実施形態に係る混雑信号の送信抑制例について、図面を参照しながら説明する。図５は、第１実施形態に係る混雑信号の送信抑制例を示す図である。ここでは、ＵＥ１０が通信を行うＮＢ１１０として、ＮＢ１１０Ａに対してＮＢ１１０Ｂが追加されるケースについて例示する。
【００７１】
図５に示すように、ＮＢ１１０Ａは、ＵＥ１０から受信するデータを再構成して、ＮＢ１１０Ａに固有のシーケンス番号（ＦＳＮ）をＥ−ＤＣＨ  ＦＰと対応するＰＤＵに付与する。ＮＢ１１０Ａは、ＦＳＮが付与されたＰＤＵをＲＮＣ１２０に送信する。
【００７２】
ＲＮＣ１２０のＥ−ＤＣＨ  ＦＰは、ＦＳＮが付与されたＰＤＵを受信する。ＲＮＣ１２０のＥ−ＤＣＨ  ＦＰは、シーケンス番号監視タイマの起動からシーケンス番号監視タイマの満了までの間に、ＦＳＮの順序誤りが生じているか否かを監視する。
【００７３】
ここで、ＵＥ１０が通信を行うＮＢ１１０として、ＮＢ１１０Ａに対してＮＢ１１０Ｂが追加されると、ＲＮＣ１２０のＥ−ＤＣＨ  ＦＰは、信号送信抑制タイマを起動する。
【００７４】
ＲＮＣ１２０のＥ−ＤＣＨ  ＦＰは、ＮＢ１１０Ａから受信するＰＤＵのＦＳＮ（ここでは“９”）及びＮＢ１１０Ｂから受信するＰＤＵのＦＳＮ（ここでは“０”）の不連続を検出する。ＲＮＣ１２０のＥ−ＤＣＨ  ＦＰは、通常であれば、混雑信号（ＴＮＬ  Ｃｏｎｇｅｓｔｉｏｎ  Ｉｎｄｉｃａｔｉｏｎ）を送信するが、信号送信抑制タイマが満了していないため、混雑信号の送信を抑制する。
【００７５】
（作用及び効果）
第１実施形態では、ＵＥ１０が通信を行うＮＢ１１０として、新たなＮＢ１１０が追加されるケースにおいて、新たなＮＢ１１０が追加された場合に、信号送信抑制タイマが満了するまで、混雑信号の送信が抑制される。すなわち、信号送信抑制タイマが満了するまで、新たなＮＢ１１０の追加に伴って生じるシーケンス番号の順序誤りが無視される。これによって、上り方向ユーザデータの伝送レートの低下が抑制される。
【００７６】
なお、以前のＮＢ１１０から受信するデータ及び新たなＮＢ１１０から受信するデータは、ＲＮＣ１２０のＭＡＣ−ｅ／ｅｓ若しくはＲＬＣによって合成されるため、ＲＮＣ１２０のＥ−ＤＣＨ  ＦＰが一時的に機能しなくても、全体としては問題がないことに留意すべきである。
【００７７】
［変更例１］
以下において、第１実施形態の変更例１について、図面を参照しながら説明する。以下においては、第１実施形態との相違点について主として説明する。
【００７８】
具体的には、第１実施形態では、ＲＮＣ１２０は、信号送信抑制タイマを用いて、混雑信号の送信を抑制する。これに対して、変更例１では、ＮＢ１１０は、信号送信抑制タイマを用いて、伝送レート抑制信号の送信を抑制する。
【００７９】
（無線基地局の構成）
以下において、変更例１に係る無線基地局について、図面を参照しながら説明する。図６は、変更例１に係るＮＢ１１０を示すブロック図である。なお、図６では、図３と同様の構成について、同様の符号を付している。また、図３と同様の構成については、その説明を省略する。
【００８０】
図６に示すように、ＮＢ１１０は、図３に示す構成に加えて、タイマ管理部１１５を有する。
【００８１】
タイマ管理部１１５は、各種タイマを管理する。例えば、タイマ管理部１１５は、伝送レート抑制信号の送信を抑制するための信号送信抑制タイマを管理する。
【００８２】
上述した制御部１１４は、ＵＥ１０が通信を行うＮＢ１１０として、新たなＮＢ１１０が追加された場合に、信号送信抑制タイマを起動する。制御部１１４は、信号送信抑制タイマの起動から信号送信抑制タイマの満了まで、伝送レート抑制信号の送信を抑制する。すなわち、制御部１１４は、ＲＮＣ１２０から混雑信号を受信しても、信号送信抑制タイマが満了するまで、伝送レート抑制信号の送信を抑制する。
【００８３】
ここで、制御部１１４は、ＲＮＣ１２０からＮＢ１１０へのシグナリング（ＮＢＡＰ（ＮｏｄｅＢ  Ａｐｐｌｉｃａｔｉｏｎ  Ｐａｒｔ）メッセージ）によって、ＵＥ１０が通信を行うＮＢ１１０として、新たなＮＢ１１０が追加された旨を検出する。ＮＢ１１０が既にＵＥ１０と通信を行っている無線基地局である場合には、ＮＢＡＰメッセージとして、例えば、“Ｒａｄｉｏ  Ｌｉｎｋ  Ａｄｄｉｔｉｏｎ  Ｒｅｑｕｅｓｔ”が用いられる。或いは、ＮＢ１１０がＵＥ１０と新たに通信を開始する無線基地局である場合には、ＮＢＡＰメッセージとして、例えば、“Ｒａｄｉｏ  Ｌｉｎｋ  Ｓｅｔｕｐ  Ｒｅｑｕｅｓｔ”が用いられる。
【００８４】
なお、ＵＥ１０が通信を行うＮＢ１１０として、ＮＢ１１０Ａに対してＮＢ１１０Ｂが追加されるケースにおいて、図６に示すＮＢ１１０は、ＮＢ１１０Ａであってもよく、ＮＢ１１０Ｂであってもよい。
【００８５】
（伝送レート抑制信号の送信抑制例）
以下において、変更例１に係る伝送レート抑制信号の送信抑制例について、図面を参照しながら説明する。図７は、変更例１に係る伝送レート抑制信号の送信抑制例を示す図である。ここでは、ＵＥ１０が通信を行うＮＢ１１０として、ＮＢ１１０Ａに対してＮＢ１１０Ｂが追加されるケースについて例示する。
【００８６】
図７に示すように、ＮＢ１１０Ａは、ＵＥ１０から受信するデータを再構成して、ＮＢ１１０Ａに固有のシーケンス番号（ＦＳＮ）をＥ−ＤＣＨ  ＦＰと対応するＰＤＵに付与する。ＮＢ１１０Ａは、ＦＳＮが付与されたＰＤＵをＲＮＣ１２０に送信する。
【００８７】
ＲＮＣ１２０のＥ−ＤＣＨ  ＦＰは、ＦＳＮが付与されたＰＤＵを受信する。ＲＮＣ１２０のＥ−ＤＣＨ  ＦＰは、シーケンス番号監視タイマの起動からシーケンス番号監視タイマの満了までの間に、ＦＳＮの順序誤りが生じているか否かを監視する。
【００８８】
ここで、ＵＥ１０が通信を行うＮＢ１１０として、ＮＢ１１０Ａに対してＮＢ１１０Ｂが追加されると、ＮＢ１１０Ａは、信号送信抑制タイマを起動する。同様に、ＵＥ１０が通信を行うＮＢ１１０として、ＮＢ１１０Ａに対してＮＢ１１０Ｂが追加されると、ＮＢ１１０Ｂは、信号送信抑制タイマを起動する。
【００８９】
ＲＮＣ１２０のＥ−ＤＣＨ  ＦＰは、ＮＢ１１０Ａから受信するＰＤＵのＦＳＮ（ここでは“９”）及びＮＢ１１０Ｂから受信するＰＤＵのＦＳＮ（ここでは“０”）の不連続を検出する。ＲＮＣ１２０のＥ−ＤＣＨ  ＦＰは、混雑信号（ＴＮＬ  Ｃｏｎｇｅｓｔｉｏｎ  Ｉｎｄｉｃａｔｉｏｎ）を送信する。
【００９０】
なお、混雑信号は、ＮＢ１１０Ａのみに送信されてもよく、ＮＢ１１０Ｂのみに送信されてもよく、ＮＢ１１０Ａ及びＮＢ１１０Ｂの双方に送信されてもよい。
【００９１】
例えば、ＮＢ１１０Ａは、ＲＮＣ１２０から混雑信号を受信しても、信号送信抑制タイマが満了するまで、伝送レート抑制信号の送信を抑制する。同様に、ＮＢ１１０Ｂは、ＲＮＣ１２０から混雑信号を受信しても、信号送信抑制タイマが満了するまで、伝送レート抑制信号の送信を抑制する。
【００９２】
（作用及び効果）
変更例１では、ＵＥ１０が通信を行うＮＢ１１０として、新たなＮＢ１１０が追加されるケースにおいて、新たなＮＢ１１０が追加された場合に、混雑信号をＲＮＣ１２０から受信しても、信号送信抑制タイマが満了するまで、ＵＥ１０に対する伝送レート抑制信号の送信が抑制される。すなわち、信号送信抑制タイマが満了するまで、新たなＮＢ１１０の追加に伴って受信する混雑信号が無視される。これによって、上り方向ユーザデータの伝送レートの低下が抑制される。
【００９３】
なお、以前のＮＢ１１０から受信するデータ及び新たなＮＢ１１０から受信するデータは、ＲＮＣ１２０のＭＡＣ−ｅ／ｅｓ若しくはＲＬＣによって合成されるため、混雑信号が一時的に無視されても、全体としては問題がないことに留意すべきである。
【００９４】
［変更例２］
以下において、第１実施形態の変更例２について、図面を参照しながら説明する。以下においては、第１実施形態との相違点について主として説明する。
【００９５】
具体的には、第１実施形態では、ＲＮＣ１２０は、信号送信抑制タイマを用いて、混雑信号の送信を抑制する。これに対して、変更例２では、ＲＮＣ１２０は、混雑信号を送信する信号送信条件の緩和によって、混雑信号の送信を抑制する。
【００９６】
（無線制御装置の構成）
以下において、変更例２に係る無線制御装置について、図面を参照しながら説明する。図８は、変更例２に係るＲＮＣ１２０を示すブロック図である。なお、図８では、図４と同様の構成については、同様の符号を付している。また、図４と同様の構成については、その説明を省略する。
【００９７】
図８に示すように、ＲＮＣ１２０は、図４に示す構成に加えて、条件管理部１２５を有する。
【００９８】
条件管理部１２５は、混雑信号を送信する信号送信条件を管理する。信号送信条件は、ＴＮＬが混雑しているか否かを判定するための条件である。例えば、シーケンス番号監視タイマの起動からシーケンス番号監視タイマの満了までの期間（すなわち、所定検出周期）においてシーケンス番号の順序誤りが検出された場合に、制御部１２４が混雑信号を送信するケースでは、信号送信条件は、シーケンス番号監視タイマにセットされる所定検出周期である。
【００９９】
或いは、シーケンス番号（ＦＳＮ）の順序誤りが所定回数に達した場合に、制御部１２４が混雑信号を送信するケースでは、信号送信条件は、所定回数（閾値）である。
【０１００】
或いは、シーケンス番号監視タイマの起動からシーケンス番号監視タイマの満了までの期間（すなわち、所定検出周期）に、シーケンス番号（ＦＳＮ）の順序誤りが所定回数に達した場合に、制御部１２４が混雑信号を送信するケースでは、信号送信条件は、シーケンス番号監視タイマにセットされる所定検出周期及び所定回数（閾値）である。
【０１０１】
ここで、条件管理部１２５は、ＵＥ１０が通信を行うＮＢ１１０として、新たなＮＢ１１０が追加された場合に、混雑信号が送信されにくくなるように、信号送信条件を緩和する。例えば、信号送信条件の緩和は、シーケンス番号監視タイマにセットされる所定検出周期の短縮である。或いは、信号送信条件の緩和は、所定回数（閾値）の増大である。或いは、信号送信条件の緩和は、シーケンス番号監視タイマにセットされる所定検出周期の短縮及び所定回数（閾値）の増大である。
【０１０２】
（信号送信条件の緩和例）
以下において、変更例２に係る信号送信条件の緩和例について、図面を参照しながら説明する。図９は、変更例２に係る信号送信条件の緩和例を示す図である。ここでは、ＵＥ１０が通信を行うＮＢ１１０として、ＮＢ１１０Ａに対してＮＢ１１０Ｂが追加されるケースについて例示する。
【０１０３】
図９に示すように、ＮＢ１１０Ａは、ＵＥ１０から受信するデータを再構成して、ＮＢ１１０Ａに固有のシーケンス番号（ＦＳＮ）をＥ−ＤＣＨ  ＦＰと対応するＰＤＵに付与する。ＮＢ１１０Ａは、ＦＳＮが付与されたＰＤＵをＲＮＣ１２０に送信する。
【０１０４】
ＲＮＣ１２０のＥ−ＤＣＨ  ＦＰは、ＦＳＮが付与されたＰＤＵを受信する。ＲＮＣ１２０のＥ−ＤＣＨ  ＦＰは、シーケンス番号監視タイマの起動からシーケンス番号監視タイマの満了までの間に、ＦＳＮの順序誤りが生じているか否かを監視する。
【０１０５】
ここで、ＵＥ１０が通信を行うＮＢ１１０として、ＮＢ１１０Ａに対してＮＢ１１０Ｂが追加されると、ＲＮＣ１２０のＥ−ＤＣＨ  ＦＰは、信号送信条件を緩和する。なお、図９では、シーケンス番号監視タイマにセットされる所定検出周期の短縮が例示されている。
【０１０６】
ＮＢ１１０Ａから受信するＰＤＵのＦＳＮ（ここでは“９”）及びＮＢ１１０Ｂから受信するＰＤＵのＦＳＮ（ここでは“０”）は不連続であるが、このような不連続は、所定検出周期が短縮されているため、所定検出周期内において検出されないため、ＲＮＣ１２０のＥ−ＤＣＨ  ＦＰは、混雑信号（ＴＮＬ  Ｃｏｎｇｅｓｔｉｏｎ  Ｉｎｄｉｃａｔｉｏｎ）を送信しない。
【０１０７】
なお、ＲＮＣ１２０のＥ−ＤＣＨ  ＦＰは、ＮＢ１１０Ａに対してＮＢ１１０Ｂが追加されてから一定期間Ｔに亘って信号送信条件を緩和する。すなわち、ＲＮＣ１２０のＥ−ＤＣＨ  ＦＰは、一定期間Ｔの経過後に信号送信条件の緩和を解除する。
【０１０８】
（作用及び効果）
変更例２では、ＵＥ１０が通信を行うＮＢ１１０として、新たなＮＢ１１０が追加されるケースにおいて、新たなＮＢ１１０が追加された場合に、新たなＮＢ１１０の追加に伴って生じるシーケンス番号の順序誤りが検出されにくい。これによって、混雑信号の送信が抑制され、上り方向ユーザデータの伝送レートの低下が抑制される。
【０１０９】
なお、以前のＮＢ１１０から受信するデータ及び新たなＮＢ１１０から受信するデータは、ＲＮＣ１２０のＭＡＣ−ｅ／ｅｓ若しくはＲＬＣによって合成されるため、混雑信号を送信する信号送信条件が一時的に緩和されても、全体としては問題がないことに留意すべきである。
【０１１０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【符号の説明】
【０１１１】
１０…ＵＥ、５０…コアネットワーク、１００…無線通信システム、１１０…ＮＢ、１１１…上位局ＩＦ、１１２…無線ＩＦ、１１３…シーケンス番号付与部、１１４…制御部、１１５…タイマ管理部、１２０…ＲＮＣ、１２１…上位局ＩＦ、１２２…基地局ＩＦ、１２３…タイマ管理部、１２４…制御部、１２５…条件管理部、１３０…ＳＧＳＮ、２１１…セル
【図１】
2011223099.tif 000003
【図２】
2011223099.tif 000004
【図３】
2011223099.tif 000005
【図４】
2011223099.tif 000006
【図５】
2011223099.tif 000007
【図６】
2011223099.tif 000008
【図７】
2011223099.tif 000009
【図８】
2011223099.tif 000010
【図９】
2011223099.tif 000011